(57)【要約】      （修正有）【課題】読取対象を読み取ることで生成された画像データを外部装置の記憶領域に記憶させる場合において、永続的に利用可能な記憶領域に画像データを記憶させる場合と比べて、画像データが漏洩する危険を低下させることができる情報処理装置、情報処理システム及びプログラムを提供する。【解決手段】情報処理システムにおいて、画像処理装置１０は、読取対象を読み取ることで画像データを生成する。サーバ１２は、端末装置１４からアクセス可能な一時的な記憶領域を生成する。画像データは、サーバに送信されて一時的な記憶領域に記憶される。画像処理装置は、一時的な記憶領域にアクセスするためのアクセス情報を端末装置１４に出力する。【選択図】図７
2020184670.tif 000002
【特許請求の範囲】
【請求項１】
読取対象を読み取ることで画像データを生成する読取手段と、
端末装置からアクセス可能な一時的な記憶領域を外部装置に生成するための処理を実行する生成処理手段と、
前記画像データを前記外部装置に送信して前記一時的な記憶領域に記憶させる記憶制御手段と、
前記端末装置が前記一時的な記憶領域にアクセスするためのアクセス情報を、前記端末装置が取得可能な状態で出力する出力手段と、
を有する情報処理装置。
【請求項２】
前記生成するための処理は、前記一時的な記憶領域の生成を前記外部装置に指示することである、
ことを特徴とする請求項１に記載の情報処理装置。
【請求項３】
前記生成するための処理は、他の一時的な記憶領域の識別情報と重複しない識別情報を前記一時的な記憶領域の識別情報として指定して、前記一時的な記憶領域の生成を前記外部装置に指示することである、
ことを特徴とする請求項１に記載の情報処理装置。
【請求項４】
前記記憶制御手段は、一時的な記憶領域を前記外部装置に生成して画像データを一時的な記憶領域に記憶させる機能が実行されてから前記機能の実行が終了するまでに前記読取手段によって生成された１又は複数の画像データを、同じ一時的な記憶領域に記憶させる、
ことを特徴とする請求項１から請求項３のいずれか一項に記載の情報処理装置。
【請求項５】
一時的な記憶領域を前記外部装置に生成して画像データを一時的な記憶領域に記憶させる機能が実行されて前記機能が終了した後、前記機能が次に実行される前に、前記生成処理手段は、前記機能が次に実行されたときに用いられる別の一時的な記憶領域を前記外部装置に生成するための処理を実行する、
ことを特徴とする請求項１から請求項４のいずれか一項に記載の情報処理装置。
【請求項６】
一時的な記憶領域を前記外部装置に生成して画像データを一時的な記憶領域に記憶させる機能が実行されて前記機能が終了するまでの間、前記出力手段は、前記アクセス情報を出力する、
ことを特徴とする請求項１から請求項５のいずれか一項に記載の情報処理装置。
【請求項７】
一時的な記憶領域を前記外部装置に生成して画像データを一時的な記憶領域に記憶させる機能が実行されて前記機能が終了した場合、前記生成処理手段は、更に、前記一時的な記憶領域を前記外部装置から削除するための処理を実行する、
ことを特徴とする請求項１から請求項６のいずれか一項に記載の情報処理装置。
【請求項８】
一時的な記憶領域を前記外部装置に生成して画像データを一時的な記憶領域に記憶させる機能は、ユーザが当該情報処理装置にログインすることで利用可能な機能であり、
前記ユーザが当該情報処理装置にログインしてから当該情報処理装置からログアウトするまでに前記機能が実行されたことで、前記一時的な記憶領域が前記外部装置に生成された場合において、前記ユーザが当該情報処理装置からログアウトした後、当該情報処理装置に再度ログインした場合、前記生成処理手段は、更に、前記一時的な記憶領域を前記外部装置から削除するための処理を実行する、
ことを特徴とする請求項１から請求項６のいずれか一項に記載の情報処理装置。
【請求項９】
前記アクセス情報を用いて前記一時的な記憶領域に最初にアクセスした前記端末装置以外の他の端末装置による前記一時的な記憶領域へのアクセスが禁止される場合に、前記読取手段は、前記原稿を読み取ることで前記画像データを生成する、
ことを特徴とする請求項１から請求項８のいずれか一項に記載の情報処理装置。
【請求項１０】
一時的な記憶領域を前記外部装置に生成して画像データを一時的な記憶領域に記憶させる機能の１回の実行あたり、１つの一時的な記憶領域の利用が可能である、
ことを特徴とする請求項１から請求項９のいずれか一項に記載の情報処理装置。
【請求項１１】
情報処理装置と外部装置とを有し、
前記情報処理装置は、
読取対象を読み取ることで画像データを生成する読取手段と、
前記画像データを前記外部装置に送信する送信手段と、
前記外部装置に生成された一時的な記憶領域に端末装置がアクセスするためのアクセス情報を、前記端末装置が取得可能な状態で出力する出力手段と、
を有し、
前記外部装置は、
記憶手段と、
前記端末装置からアクセス可能な一時的な記憶領域を前記記憶手段に生成する生成手段と、
前記送信手段によって前記外部装置に送信された前記画像データを前記一時的な記憶領域に記憶させる記憶制御手段と、
を有する、
情報処理システム。
【請求項１２】
前記外部装置は、更に、
一時的な記憶領域を前記外部装置に生成して画像データを一時的な記憶領域に記憶させる機能の終了を示す通知を、前記情報処理装置から受けた場合、前記一時的な記憶領域を削除する削除手段を有する、
ことを特徴とする請求項１１に記載の情報処理システム。
【請求項１３】
前記外部装置は、更に、
前記端末装置が、前記一時的な記憶領域に記憶されている前記画像データを取得した場合に、前記一時的な記憶領域を削除する削除手段を有する、
ことを特徴とする請求項１１に記載の情報処理システム。
【請求項１４】
前記外部装置は、更に、
前記アクセス情報を用いて前記一時的な記憶領域に最初にアクセスした前記端末装置以外の端末装置による前記一時的な記憶領域へのアクセスを禁止するアクセス禁止手段を有し、
前記一時的な記憶領域に最初にアクセスした前記端末装置以外の端末装置による前記一時的な記憶領域へのアクセスが禁止されている場合に、前記読取手段は、前記原稿を読み取ることで前記画像データを生成する、
ことを特徴とする請求項１１から請求項１３のいずれか一項に記載の情報処理システム。
【請求項１５】
コンピュータを、
読取対象を読み取ることで画像データを生成する読取手段、
端末装置からアクセス可能な一時的な記憶領域を外部装置に生成するための処理を実行する生成処理手段、
前記画像データを前記外部装置に送信して前記一時的な記憶領域に記憶させる記憶制御手段、
前記端末装置が前記一時的な記憶領域にアクセスするためのアクセス情報を、前記端末装置が取得可能な状態で出力する出力手段、
として機能させるプログラム。
【発明の詳細な説明】
【技術分野】
【０００１】
本発明は、情報処理装置、情報処理システム及びプログラムに関する。
【背景技術】
【０００２】
文書等の読取対象を読み取ることで画像データを生成し、当該画像データをサーバ等の外部装置に送信し、当該画像データを当該外部装置の記憶領域に記憶させる技術が知られている。
【０００３】
特許文献１には、電子機器がネットワーク上の記憶装置に電子データを保存するための保存方法を電子機器に送信し、電子機器が当該保存方法によって記憶装置に保存した電子データを、ネットワークを介して記憶装置から取得する装置が記載されている。
【０００４】
特許文献２には、携帯情報端末と情報処理装置とを含む情報処理システムが記載されている。携帯情報端末は、クラウドサービス用アプリケーション実行部が起動した状態で遠隔操作用アプリケーション実行部が起動されると、そのクラウドサービス用アプリケーション実行部に対応するクラウドサービスの接続先を示すアクセス情報を情報処理装置に送信する。情報処理装置は、そのアクセス情報が示すクラウド用サービスと情報処理装置との間で通信を行わせる指示を入力するための短縮キーを含む操作画面を携帯情報端末に送信し、短縮キーについて操作情報を携帯情報端末から受信すると、クラウドサービスに接続してそのクラウドサービスとの間でデータの送受信を行う。
【先行技術文献】
【特許文献】
【０００５】
【特許文献１】特開２０１８−１５６３７８号公報
【特許文献２】特開２０１４−１２０９７５号公報
【発明の概要】
【発明が解決しようとする課題】
【０００６】
ところで、外部装置において、永続的に利用可能な記憶領域に画像データが記憶された場合、画像データが漏洩する危険が高まる。
【０００７】
本発明の目的は、読取対象を読み取ることで生成された画像データを外部装置の記憶領域に記憶させる場合において、永続的に利用可能な記憶領域に画像データを記憶させる場合と比べて、画像データが漏洩する危険を低下させることにある。
【課題を解決するための手段】
【０００８】
請求項１に係る発明は、読取対象を読み取ることで画像データを生成する読取手段と、端末装置からアクセス可能な一時的な記憶領域を外部装置に生成するための処理を実行する生成処理手段と、前記画像データを前記外部装置に送信して前記一時的な記憶領域に記憶させる記憶制御手段と、前記端末装置が前記一時的な記憶領域にアクセスするためのアクセス情報を、前記端末装置が取得可能な状態で出力する出力手段と、を有する情報処理装置である。
【０００９】
請求項２に係る発明は、前記生成するための処理は、前記一時的な記憶領域の生成を前記外部装置に指示することである、ことを特徴とする請求項１に記載の情報処理装置である。
【００１０】
請求項３に係る発明は、前記生成するための処理は、他の一時的な記憶領域の識別情報と重複しない識別情報を前記一時的な記憶領域の識別情報として指定して、前記一時的な記憶領域の生成を前記外部装置に指示することである、ことを特徴とする請求項１に記載の情報処理装置である。
【００１１】
請求項４に係る発明は、前記記憶制御手段は、一時的な記憶領域を前記外部装置に生成して画像データを一時的な記憶領域に記憶させる機能が実行されてから前記機能の実行が終了するまでに前記読取手段によって生成された１又は複数の画像データを、同じ一時的な記憶領域に記憶させる、ことを特徴とする請求項１から請求項３のいずれか一項に記載の情報処理装置である。
【００１２】
請求項５に係る発明は、一時的な記憶領域を前記外部装置に生成して画像データを一時的な記憶領域に記憶させる機能が実行されて前記機能が終了した後、前記機能が次に実行される前に、前記生成処理手段は、前記機能が次に実行されたときに用いられる別の一時的な記憶領域を前記外部装置に生成するための処理を実行する、ことを特徴とする請求項１から請求項４のいずれか一項に記載の情報処理装置である。
【００１３】
請求項６に係る発明は、一時的な記憶領域を前記外部装置に生成して画像データを一時的な記憶領域に記憶させる機能が実行されて前記機能が終了するまでの間、前記出力手段は、前記アクセス情報を出力する、ことを特徴とする請求項１から請求項５のいずれか一項に記載の情報処理装置である。
【００１４】
請求項７に係る発明は、一時的な記憶領域を前記外部装置に生成して画像データを一時的な記憶領域に記憶させる機能が実行されて前記機能が終了した場合、前記生成処理手段は、更に、前記一時的な記憶領域を前記外部装置から削除するための処理を実行する、ことを特徴とする請求項１から請求項６のいずれか一項に記載の情報処理装置である。
【００１５】
請求項８に係る発明は、一時的な記憶領域を前記外部装置に生成して画像データを一時的な記憶領域に記憶させる機能は、ユーザが当該情報処理装置にログインすることで利用可能な機能であり、前記ユーザが当該情報処理装置にログインしてから当該情報処理装置からログアウトするまでに前記機能が実行されたことで、前記一時的な記憶領域が前記外部装置に生成された場合において、前記ユーザが当該情報処理装置からログアウトした後、当該情報処理装置に再度ログインした場合、前記生成処理手段は、更に、前記一時的な記憶領域を前記外部装置から削除するための処理を実行する、ことを特徴とする請求項１から請求項６のいずれか一項に記載の情報処理装置である。
【００１６】
請求項９に係る発明は、前記アクセス情報を用いて前記一時的な記憶領域に最初にアクセスした前記端末装置以外の他の端末装置による前記一時的な記憶領域へのアクセスが禁止される場合に、前記読取手段は、前記原稿を読み取ることで前記画像データを生成する、ことを特徴とする請求項１から請求項８のいずれか一項に記載の情報処理装置である。
【００１７】
請求項１０に係る発明は、一時的な記憶領域を前記外部装置に生成して画像データを一時的な記憶領域に記憶させる機能の１回の実行あたり、１つの一時的な記憶領域の利用が可能である、ことを特徴とする請求項１から請求項９のいずれか一項に記載の情報処理装置である。
【００１８】
請求項１１に係る発明は、情報処理装置と外部装置とを有し、前記情報処理装置は、読取対象を読み取ることで画像データを生成する読取手段と、前記画像データを前記外部装置に送信する送信手段と、前記外部装置に生成された一時的な記憶領域に端末装置がアクセスするためのアクセス情報を、前記端末装置が取得可能な状態で出力する出力手段と、を有し、前記外部装置は、記憶手段と、前記端末装置からアクセス可能な一時的な記憶領域を前記記憶手段に生成する生成手段と、前記送信手段によって前記外部装置に送信された前記画像データを前記一時的な記憶領域に記憶させる記憶制御手段と、を有する、情報処理システムである。
【００１９】
請求項１２に係る発明は、前記外部装置は、更に、一時的な記憶領域を前記外部装置に生成して画像データを一時的な記憶領域に記憶させる機能の終了を示す通知を、前記情報処理装置から受けた場合、前記一時的な記憶領域を削除する削除手段を有する、ことを特徴とする請求項１１に記載の情報処理システムである。
【００２０】
請求項１３に係る発明は、前記外部装置は、更に、前記端末装置が、前記一時的な記憶領域に記憶されている前記画像データを取得した場合に、前記一時的な記憶領域を削除する削除手段を有する、ことを特徴とする請求項１１に記載の情報処理システムである。
【００２１】
請求項１４に係る発明は、前記外部装置は、更に、前記アクセス情報を用いて前記一時的な記憶領域に最初にアクセスした前記端末装置以外の端末装置による前記一時的な記憶領域へのアクセスを禁止するアクセス禁止手段を有し、前記一時的な記憶領域に最初にアクセスした前記端末装置以外の端末装置による前記一時的な記憶領域へのアクセスが禁止されている場合に、前記読取手段は、前記原稿を読み取ることで前記画像データを生成する、ことを特徴とする請求項１１から請求項１３のいずれか一項に記載の情報処理システムである。
【００２２】
請求項１５に係る発明は、コンピュータを、読取対象を読み取ることで画像データを生成する読取手段、端末装置からアクセス可能な一時的な記憶領域を外部装置に生成するための処理を実行する生成処理手段、前記画像データを前記外部装置に送信して前記一時的な記憶領域に記憶させる記憶制御手段、前記端末装置が前記一時的な記憶領域にアクセスするためのアクセス情報を、前記端末装置が取得可能な状態で出力する出力手段、として機能させるプログラムである。
【発明の効果】
【００２３】
請求項１，１０，１１，１５に係る発明によれば、原稿を読み取ることで生成された画像データを外部装置の記憶領域に記憶させる場合において、永続的に利用可能な記憶領域に画像データを記憶させる場合と比べて、画像データが漏洩する危険が低下する。
【００２４】
請求項２に係る発明によれば、情報処理装置からの指示に従って外部装置に一時的な記憶領域が生成される。
【００２５】
請求項３に係る発明によれば、一時的な記憶領域に、他の一時的な記憶領域に記憶されるべき画像データが記憶されることが防止される。
【００２６】
請求項４に係る発明によれば、端末装置は、同じ一時的な記憶領域から１又は複数の画像データを取得することができる。
【００２７】
請求項５に係る発明によれば、画像データを一時的な記憶領域に記憶させる機能が実行されてから一時的な記憶領域を生成する場合と比べて、当該機能が実行されてから一時的な記憶領域を利用するまでに要する時間が短くなる。
【００２８】
請求項６に係る発明によれば、画像データを一時的な記憶領域に記憶させる機能が実行されてから当該機能が終了するまでの間、端末装置を利用するユーザはアクセス情報を取得することができる。
【００２９】
請求項７，８，１２，１３に係る発明によれば、画像データが外部装置に残ることを防止することができる。
【００３０】
請求項９，１４に係る発明によれば、他の端末装置による一時的な記憶領域へのアクセスが禁止されない場合と比べて、画像データが漏洩する危険が低下する。
【図面の簡単な説明】
【００３１】
【図１】本実施形態に係る情報処理システムの構成を示すブロック図である。
【図２】本実施形態に係る画像処理装置の構成を示すブロック図である。
【図３】本実施形態に係るサーバの構成を示すブロック図である。
【図４】端末装置の構成を示すブロック図である。
【図５】画像処理装置の動作を示すフローチャートを示す図である。
【図６】端末装置の動作を示すフローチャートを示す図である。
【図７】実施例１に係る処理の流れを示すシーケンス図である。
【図８】実施例２に係る処理の流れを示すシーケンス図である。
【図９】実施例３に係る処理の流れを示すシーケンス図である。
【図１０】実施例４に係る処理の流れを示すシーケンス図である。
【発明を実施するための形態】
【００３２】
以下、図１を参照して、本実施形態に係る情報処理システムについて説明する。図１には、本実施形態に係る情報処理システムの構成の一例が示されている。
【００３３】
本実施形態に係る情報処理システムは、１又は複数の画像処理装置１０と、１又は複数のサーバ１２と、１又は複数の端末装置１４とを含む。情報処理システムは、これら以外の装置を含んでもよい。
【００３４】
画像処理装置１０、サーバ１２及び端末装置１４は、通信経路Ｎを介して他の装置と通信してもよい。通信経路Ｎは、例えば、ＬＡＮ（Local Area Network）等のネットワークやインターネット等である。通信経路Ｎは、有線通信によって構築されてもよいし、Ｗｉ−Ｆｉ（登録商標）等の無線通信によって構築されてもよい。また、画像処理装置１０、サーバ１２及び端末装置１４は、通信経路Ｎを介さずに近距離無線通信等によって他の装置と通信してもよい。近距離無線通信は、例えば、Ｂｌｕｅｔｏｏｔｈ（登録商標）やＲＦＩＤ（Radio Frequency Identifier）やＮＦＣ等である。
【００３５】
画像処理装置１０は、情報処理装置の一例に相当する装置であって、少なくとも、読取対象を読み取ることで当該読取対象を表す画像データを生成する画像読取機能を有する装置である。以下、読取対象を読み取ることで当該読取対象を表す画像データを生成する機能を「スキャン」と称し、当該画像データを「スキャンデータ」と称することとする。スキャンの概念の範疇には、スキャナによって光学的に読取対象を読み取ることや、カメラによって読取対象を撮影すること等が含まれる。読取対象は、例えば、文書等の原稿や、その他の立体物等である。画像処理装置１０は、画像読取機能を有するスキャナやカメラであってもよいし、画像読取機能の他に、印刷機能、複写機能及びファクシミリ機能の中の少なくとも１つの画像処理機能を有する複合機であってもよい。例えば、画像処理装置１０によって生成されたスキャンデータは、サーバ１２や端末装置１４に送信されてもよいし、画像処理装置１０に記憶されてもよい。
【００３６】
サーバ１２は、外部装置の一例に相当する装置であって、データを記憶する記憶領域が生成される装置である。例えば、フォルダやボックス等と称される記憶領域が、サーバ１２に生成されてもよい。サーバ１２は、クラウドコンピューティングに用いられるサーバであってもよい。
【００３７】
本実施形態では、画像処理装置１０によって生成されたスキャンデータを一時的に記憶する一時的記憶領域が、サーバ１２に生成される。一時的記憶領域は、端末装置１４からアクセス可能な記憶領域である。例えば、生成条件が満たされた場合に、一時的記憶領域の生成指示がサーバ１２に送信され、一時的記憶領域がサーバ１２に生成される。生成条件が満たされる場合とは、例えば、一時的記憶領域を利用する機能が選択された場合や、当該機能の実行指示が与えられた場合や、当該機能が実行された場合等である。当該機能は、例えば「スキャンｔｏサーバ機能」である。「スキャンｔｏサーバ機能」は、スキャンを実行し、当該スキャンによって生成されたスキャンデータを画像処理装置１０からサーバ１２に送信し、当該スキャンデータをサーバ１２の一時的記憶領域に記憶させる機能である。
【００３８】
一時的記憶領域は、ユーザによって明示的な削除指示が与えられていない場合であっても、削除条件が満たされた場合にサーバ１２から削除される記憶領域である。削除条件が満たされた場合とは、例えば、一時的記憶領域の削除の原因となる事象がサーバ１２以外の装置にて発生した場合や、時間に関する条件が満たされた場合や、特定のタイミングに削除指示がサーバ１２に通知された場合等である。一時的記憶領域の削除の原因となる事象とは、例えば、一時的記憶領域を利用する機能の実行が画像処理装置１０にて終了した場合や、端末装置１４が一時的記憶領域に記憶されているスキャンデータをダウンロードした場合等である。例えば、当該機能の終了通知が画像処理装置１０からサーバ１２に送信されたり、ダウンロード完了通知が端末装置１４からサーバ１２に送信されたりする。サーバ１２以外の装置からサーバ１２に送信されるこれらの通知は、一時的記憶領域の削除指示の一例に相当する。例えば、「スキャンｔｏサーバ機能」の実行が終了した場合や、一時的記憶領域に記憶されているスキャンデータが端末装置１４にダウンロードされた場合や、特定の時点から予め定められた時間が経過した場合や、特定のタイミングに削除指示が通知された場合等に、一時的記憶領域はサーバ１２から削除される。なお、ここでのユーザは、例えば、画像処理装置１０を利用するユーザや、端末装置１４を利用するユーザや、画像処理装置１０やサーバ１２や情報処理システムを管理する管理者等である。
【００３９】
別の例として、削除条件が満たされた場合に、記憶領域自体は削除されずに、当該記憶領域に記憶されているデータが削除されてもよい。このような記憶領域も一時的記憶領域の一例であってもよい。
【００４０】
サーバ１２は、一時的記憶領域ではない永続的記憶領域を有していてもよい。永続的記憶領域は、例えば、上記の削除条件が満たされた場合であってもサーバ１２から削除されず、明示的な削除指示がユーザによって与えられた場合にサーバ１２から削除される記憶領域である。もちろん、一時的記憶領域も、明示的な削除指示がユーザによって与えられた場合に削除されてもよい。
【００４１】
端末装置１４は、例えば、パーソナルコンピュータ（以下、「ＰＣ」と称する）、タブレットＰＣ、スマートフォン又は携帯電話等の装置である。一例として、端末装置１４は、タブレットＰＣやスマートフォンや携帯電話等の携帯可能な端末装置である。
【００４２】
以下、図２を参照して、画像処理装置１０の構成について詳しく説明する。図２には、画像処理装置１０の構成の一例が示されている。
【００４３】
通信部１６は通信インターフェースであり、他の装置に情報を送信する機能、及び、他の装置から情報を受信する機能を有する。通信部１６は、無線通信機能を有していてもよいし、有線通信機能を有していてもよい。通信部１６は、通信経路Ｎを介して他の装置と通信してもよいし、近距離無線通信等を利用することで通信経路Ｎを介さずに他の装置と通信してもよい。
【００４４】
ＵＩ部１８はユーザインターフェースであり、表示部と操作部とを含む。表示部は、液晶ディスプレイ等の表示装置である。操作部は、キーボードや入力キーや操作パネル等の入力装置である。ＵＩ部１８は、表示部と操作部とを兼ね備えたタッチパネル等のＵＩ部であってもよい。
【００４５】
画像読取部２０は、読取対象を読み取ることで当該読取対象を表す画像データを生成するように構成されている。つまり、画像読取部２０は、読取対象をスキャンすることで当該読取対象を表すスキャンデータを生成するように構成されている。画像読取部２０によるスキャンは、例えばスキャナやカメラ等によって実現される。
【００４６】
記憶部２２は、各種の情報を記憶する１又は複数の記憶領域である。各記憶領域は、例えば、画像処理装置１０に設けられている１又は複数の記憶装置（例えばハードディスクドライブやメモリ等の物理ドライブ）によって構成されている。例えば、スキャンデータ等が記憶部２２に記憶される。
【００４７】
生成処理部２４は、一時的記憶領域をサーバ１２に生成するための処理を実行するように構成されている。当該生成するための処理は、例えば、一時的記憶領域の生成をサーバ１２に指示することである。例えば、上記の生成条件が満たされた場合、生成処理部２４は、一時的記憶領域の生成をサーバ１２に指示する。一時的記憶領域の生成指示を示す情報は、画像処理装置１０からサーバ１２に送信され、サーバ１２においては、当該生成指示に従って一時的記憶領域が生成される。一時的記憶領域には、当該一時的記憶領域を識別するための識別情報が対応付けられる。
【００４８】
また、生成するための処理は、他の一時的記憶領域の識別情報と重複しない識別情報を一時的記憶領域の識別情報として指定して、当該一時的記憶領域の生成をサーバ１２に指示することであってもよい。他の一時的記憶領域は、例えば、当該一時的記憶領域が生成される時点でサーバ１２に設けられている一時的記憶領域や、過去にサーバ１２に設けられていた一時的記憶領域等である。例えば、上記の生成条件が満たされた場合、生成処理部２４は、他の一時的記憶領域の識別情報と重複しない識別情報を指定して、一時的記憶領域の生成をサーバ１２に指示する。生成処理部２４は、例えば、自装置である画像処理装置１０の装置識別情報と日時情報との組み合わせを、当該一時記憶領域の識別情報として指定する。画像処理装置１０の装置識別情報は、当該画像処理装置１０を識別するための情報であって、例えば、当該画像処理装置１０のシリアル番号や、アドレス情報（例えばＩＰアドレス情報やＭＡＣアドレス情報等）等である。日時情報は、例えば、「スキャンｔｏサーバ機能」がユーザによって選択された日時や、「スキャンｔｏサーバ機能」の実行指示がユーザによって与えられた日時や、「スキャンｔｏサーバ機能」が実行された日時や、一時的記憶領域の生成が指示された日時等である。
【００４９】
また、生成処理部２４は、一時的記憶領域をサーバ１２から削除するための処理を実行してもよい。削除するための処理は、例えば、一時的記憶領域の削除をサーバ１２に指示することである。生成処理部２４は、例えば、「スキャンｔｏサーバ機能」の実行が終了した場合や、特定の時点から予め定められた時間が経過した場合等に、一時的記憶領域の削除をサーバ１２に指示する。一時的記憶領域の削除指示を示す情報は、画像処理装置１０からサーバ１２に送信され、サーバ１２においては、当該削除指示に従って一時的記憶領域が削除される。なお、当該削除指示に従って一時的記憶領域は削除されず、当該一時的記憶領域に記憶されているデータが削除されてもよい。
【００５０】
アクセス情報取得部２６は、端末装置１４が一時的記憶領域にアクセスするためのアクセス情報をサーバ１２から取得するように構成されている。例えば、上記の生成指示に従って一時的記憶領域がサーバ１２に生成されると、当該一時的記憶領域のアクセス情報がサーバ１２によって生成され、当該アクセス情報がサーバ１２から画像処理装置１０に送信される。アクセス情報取得部２６は、サーバ１２から送信されてきたアクセス情報を取得する。一時的記憶領域のアクセス情報は、当該一時的記憶領域の所在を示す情報であって、例えば、ＵＲＬ（Uniform Resource Locator）等のアドレス情報である。
【００５１】
なお、上記の生成するための処理は、アクセス情報を生成する処理を含んでもよい。例えば、生成処理部２４は、他の一時的記憶領域のアクセス情報と重複しないアクセス情報を指定して、当該一時的記憶領域の生成をサーバ１２に指示してもよい。
【００５２】
制御部２８は、画像処理装置１０の各部の動作を制御するように構成されている。また、制御部２８は、記憶制御部３０と出力制御部３２とを含む。
【００５３】
記憶制御部３０は、スキャンデータをサーバ１２に送信して一時的記憶領域に記憶させるように構成されている。
【００５４】
出力制御部３２は、アクセス情報取得部２６によって取得されたアクセス情報を出力するように制御されている。出力制御部３２は、例えば、アクセス情報を表すバーコードや２次元コードを生成し、当該バーコードや当該２次元コードをＵＩ部１８の表示部に表示させてもよい。出力制御部３２は、通信部１６による近接無線通信を利用してアクセス情報を送信してもよい。出力制御部３２は、アクセス情報を表す文字列（例えばＵＲＬを表す文字列）をＵＩ部１８の表示部に表示させてもよい。
【００５５】
以下、図３を参照して、サーバ１２の構成について詳しく説明する。図３には、サーバ１２の構成の一例が示されている。
【００５６】
通信部３４は通信インターフェースであり、他の装置に情報を送信する機能、及び、他の装置から情報を受信する機能を有する。通信部３４は、無線通信機能を有していてもよいし、有線通信機能を有していてもよい。通信部３４は、通信経路Ｎを介して他の装置と通信してもよいし、近距離無線通信等を利用することで通信経路Ｎを介さずに他の装置と通信してもよい。
【００５７】
記憶部３６は、各種の情報を記憶する１又は複数の記憶領域である。各記憶領域は、例えば、サーバ１２に設けられている１又は複数の記憶装置（例えばハードディスクドライブやメモリ等の物理ドライブ）によって構成されている。
【００５８】
記憶部３６には、一時的記憶領域が生成される。一時的記憶領域には、画像処理装置１０から送信されてきたスキャンデータが記憶される。もちろん、一時的記憶領域には、スキャンデータ以外のデータが記憶されてもよい。また、記憶部３６には、永続的記憶領域が生成されてもよい。
【００５９】
記憶領域生成部３８は、一時的記憶領域を記憶部３６に生成するように構成されている。例えば、記憶領域生成部３８は、画像処理装置１０から送られてきた、一時的記憶領域の生成指示を示す情報を受けると、当該生成指示に従って一時的記憶領域を記憶部３６に生成する。画像処理装置１０によって一時的記憶領域の識別情報が指定されていない場合、記憶領域生成部３８は、他の一時的記憶領域の識別情報と重複しない識別情報を生成して、新たな一時的記憶領域に対応付ける。例えば、一時的記憶領域の名称や、一時的記憶領域の生成を指示したユーザの識別情報（例えばユーザ名やユーザＩＤ等）や、画像処理装置１０にログインしているユーザの識別情報等が、一時的記憶領域の識別情報として用いられてもよい。一時的記憶領域の識別情報は、ユーザによって変更されてもよい。画像処理装置１０によって一時的記憶領域の識別情報が指定されている場合、記憶領域生成部３８は、その指定された識別情報を新たな一時的記憶領域に対応付ける。
【００６０】
また、記憶領域生成部３８は、端末装置１４が一時的記憶領域にアクセスするためのアクセス情報を生成する。記憶領域生成部３８は、他の一時的記憶領域にアクセスするためのアクセス情報と重複しないアクセス情報を生成する。つまり、記憶領域生成部３８は、一時的記憶領域毎に異なるアクセス情報を生成する。生成されたアクセス情報は、サーバ１２から画像処理装置１０に送信される。
【００６１】
各一時的記憶領域の記憶容量は、同じであってもよいし、画像処理装置１０の利用状況に応じて変更されてもよい。記憶領域生成部３８は、例えば、「スキャンｔｏサーバ機能」の利用回数が多いほど、一時的記憶領域の記憶容量を増やしてもよい。また、スキャンが実行された後に一時的記憶領域が生成される場合、生成処理部２４は、スキャンによって生成されたスキャンデータの容量に基づいて、スキャンデータを記憶するために必要な記憶容量を推測し、その推測された記憶容量を有する一時的記憶領域の生成をサーバ１２に指示してもよい。記憶領域生成部３８は、その生成指示に従って、その推測された記憶容量を有する一時的記憶領域を生成する。生成処理部２４は、例えば、スキャンデータの総容量よりも多い記憶容量を有する一時的記憶領域の生成をサーバ１２に指示する。なお、一時的記憶領域を利用するために料金が発生する場合、記憶領域生成部３８は、その料金に応じて、一時的記憶領域の記憶容量を変えてもよい。
【００６２】
記憶領域削除部４０は、一時的記憶領域を記憶部３６から削除するように構成されている。例えば、上記の削除条件が満たされた場合、記憶領域削除部４０は、一時的記憶領域を記憶部３６から削除する。記憶領域削除部４０は、例えば、画像処理装置１０から送られてきた、一時的記憶領域の削除指示を示す情報を受けると、当該削除指示に従って一時的記憶領域を記憶部３６から削除する。記憶領域削除部４０は、端末装置１４がスキャンデータをダウンロードした場合、当該スキャンデータを記憶している一時的記憶領域を記憶部３６から削除してもよい。
【００６３】
アクセス禁止部４２は、ある端末装置１４がアクセス情報を用いて一時的記憶領域に最初にアクセスした場合、当該端末装置１４以外の別の端末装置１４による当該一時的記憶領域へのアクセスを禁止するように構成されている。アクセス禁止部４２は、一時的記憶領域に最初にアクセスした端末装置１４の端末識別情報を取得し、当該端末装置１４の端末識別情報を当該一時的記憶領域に対応付ける。例えば、端末装置１４がサーバ１２にアクセスした場合、当該端末装置１４の端末識別情報が当該端末装置１４からサーバ１２に送信され、アクセス禁止部４２は、当該端末装置１４の端末識別情報を取得する。アクセス禁止部４２は、一時的記憶領域に対応付けられている端末識別情報を有する端末装置１４からの当該一時的記憶領域へのアクセスを許可し、それ以外の別の端末装置１４からの当該一時的記憶領域へのアクセスを禁止する（つまり許可しない）。端末装置１４の端末識別情報は、当該端末装置１４を識別するための情報であって、例えば、当該端末装置１４のシリアル番号や、アドレス情報（例えばＩＰアドレス情報やＭＡＣアドレス情報等）等である。当該端末装置１４を利用するユーザの識別情報（例えばユーザ名やユーザＩＤや電子メールアドレス等）が、当該端末装置１４の端末識別情報として用いられてもよい。なお、アクセス禁止部４２は、サーバ１２に設けられていなくてもよい。
【００６４】
制御部４４は、サーバ１２の各部の動作を制御するように構成されている。また、制御部４４は、記憶制御部４６を含む。
【００６５】
記憶制御部４６は、画像処理装置１０から送信されてきたスキャンデータを一時的記憶領域に記憶させるように構成されている。
【００６６】
記憶領域生成部３８は、一時的記憶領域に、当該一時的記憶領域の生成を指示した画像処理装置１０の装置識別情報を対応付けてもよい。この場合、画像処理装置１０からサーバ１２にスキャンデータが送信されてきた場合、記憶制御部４６は、当該画像処理装置１０の装置識別情報が対応付けられている一時的記憶領域に当該スキャンデータを記憶させる。例えば、情報処理システムに複数の画像処理装置１０が含まれている場合において、各画像処理装置１０にて「スキャンｔｏサーバ機能」が実行された場合、記憶領域生成部３８は、画像処理装置１０毎の一時的記憶領域を記憶部３６に生成する。画像処理装置１０によって生成されたスキャンデータは、自装置の装置識別情報が対応付けられている一時的記憶領域に記憶される。
【００６７】
以下、図４を参照して、端末装置１４の構成について詳しく説明する。図４には、端末装置１４の構成の一例が示されている。
【００６８】
通信部４８は通信インターフェースであり、他の装置に情報を送信する機能、及び、他の装置から情報を受信する機能を有する。通信部４８は、無線通信機能を有していてもよいし、有線通信機能を有していてもよい。通信部４８は、通信経路Ｎを介して他の装置と通信してもよいし、近距離無線通信等を利用することで通信経路Ｎを介さずに他の装置と通信してもよい。
【００６９】
ＵＩ部５０はユーザインターフェースであり、表示部と操作部とを含む。表示部は、液晶ディスプレイ等の表示装置である。操作部は、キーボードや入力キーや操作パネル等の入力装置である。ＵＩ部５０は、表示部と操作部とを兼ね備えたタッチパネル等のＵＩ部であってもよい。
【００７０】
記憶部５２は、各種の情報を記憶する１又は複数の記憶領域である。各記憶領域は、例えば、端末装置１４に設けられている１又は複数の記憶装置（例えばハードディスクドライブやメモリ等の物理ドライブ）によって構成されている。記憶部５２には、例えば、サーバ１２からダウンロードされたスキャンデータ等が記憶される。
【００７１】
制御部５４は、端末装置１４の各部の動作を制御するように構成されている。
【００７２】
なお、端末装置１４は、カメラ等の撮影部を有していてもよい。
【００７３】
以下、図５を参照して、画像処理装置１０の動作の一例について説明する。図５には、画像処理装置１０の動作の一例を示すフローチャートが示されている。
【００７４】
画像処理装置１０の制御部２８は、例えば、画像処理装置１０のＵＩ部１８の表示部にメイン画面を表示させる。メイン画面には、例えば、画像処理装置１０が有する機能の一覧が表示される。
【００７５】
ユーザが画像処理装置１０のＵＩ部１８を操作して、当該一覧の中から「スキャンｔｏサーバ機能」を選択すると（Ｓ０１）、生成処理部２４は、一時的記憶領域をサーバ１２に生成するための処理を実行する。これにより、サーバ１２に一時的記憶領域が生成される（Ｓ０２）。
【００７６】
当該一時的記憶領域のアクセス情報がサーバ１２によって生成され、サーバ１２から画像処理装置１０に当該一時的記憶領域のアクセス情報が送信される。アクセス情報取得部２６は、サーバ１２から送信されてきた当該一時的記憶領域のアクセス情報を取得する（Ｓ０３）。
【００７７】
次に、出力制御部３２は、アクセス情報取得部２６によって取得されたアクセス情報を出力する（Ｓ０４）。
【００７８】
次に、画像読取部２０は、読取対象（例えば原稿）をスキャンすることで、当該読取対象を表すスキャンデータを生成する（Ｓ０５）。なお、スキャンは、一時的記憶領域がサーバ１２に生成される前、アクセス情報取得部２６がアクセス情報を取得する前、又は、出力制御部３２がアクセス情報を出力する前に実行されてもよい。
【００７９】
記憶制御部３０は、当該スキャンデータをサーバ１２に送信して一時的記憶領域に記憶させる（Ｓ０６）。
【００８０】
「スキャンｔｏサーバ機能」の実行が終了している場合（Ｓ０７，Ｙｅｓ）、処理は終了する。例えば、ユーザがＵＩ部１８を操作して「スキャンｔｏサーバ機能」の終了を指示した場合、「スキャンｔｏサーバ機能」の実行は終了する。
【００８１】
「スキャンｔｏサーバ機能」の実行が終了していない場合（Ｓ０７，Ｎｏ）、処理はステップＳ０５に戻る。更にスキャンが実行されると、そのスキャンによって生成されたスキャンデータは、画像処理装置１０からサーバ１２に送信されて一時的記憶領域に記憶される。「スキャンｔｏサーバ機能」が実行されてから「スキャンｔｏサーバ機能」の実行が終了するまでにスキャンによって生成された１又は複数のスキャンデータは、同じ一時的記憶領域に記憶される。
【００８２】
以下、図６を参照して、端末装置１４の動作の一例について説明する。図６には、端末装置１４の動作の一例を示すフローチャートが示されている。
【００８３】
まず、端末装置１４は、画像処理装置１０から出力されているアクセス情報を取得する（Ｓ１０）。例えば、端末装置１４は、アクセス情報を表すバーコードや２次元コードを撮影することで当該アクセス情報を取得してもよいし、近距離無線通信を利用して当該アクセス情報を取得してもよい。
【００８４】
次に、端末装置１４は、上記のようにして取得したアクセス情報を用いて、サーバ１２に生成された一時的記憶領域にアクセスする（Ｓ１１）。例えば、端末装置１４にはＷｅｂブラウザのプログラムがインストールされており、ユーザがＵＩ部５０を操作してＷｅｂブラウザを起動させると、Ｗｅｂブラウザは、上記のアクセス情報を用いて、サーバ１２に生成された一時的記憶領域にアクセスする。つまり、Ｗｅｂブラウザは、当該アクセス情報が示す所在に生成された一時的記憶領域にアクセスする。なお、アクセス情報を表す文字列（例えばＵＲＬを表す文字列）が画像処理装置１０のＵＩ部１８の表示部に表示されている場合、端末装置１４を利用するユーザは、当該文字列を読み取り、当該アクセス情報を表す文字列を端末装置１４に手入力してもよい。
【００８５】
Ｗｅｂブラウザが一時的記憶領域にアクセスすると、端末装置１４の制御部５４は、当該一時的記憶領域に記憶されている１又は複数のスキャンデータの一覧を、端末装置１４のＵＩ部５０の表示部に表示させる（Ｓ１２）。例えば、当該一覧がＷｅｂブラウザ上に表示される。
【００８６】
ユーザが端末装置１４のＵＩ部５０を操作して、当該一覧の中から取得対象の１又は複数のスキャンデータを選択した場合（Ｓ１３，Ｙｅｓ）、端末装置１４は、ユーザによって選択された１又は複数のスキャンデータを当該一時的記憶領域からダウンロードする（Ｓ１４）。
【００８７】
ユーザが取得対象のスキャンデータを選択しない場合（Ｓ１３，Ｎｏ）、上記の一覧が継続してＵＩ部５０の表示部に表示される。
【００８８】
以下、各実施例について詳しく説明する。
【００８９】
（実施例１）
以下、図７を参照して、実施例１に係る処理について説明する。図７は、実施例１に係る処理の流れの一例を示すシーケンス図である。
【００９０】
画像処理装置１０において、ユーザがＵＩ部１８を操作して「スキャンｔｏサーバ機能」を選択すると（Ｓ２０）、生成処理部２４は、一時的記憶領域の生成をサーバ１２に指示する（Ｓ２１）。
【００９１】
サーバ１２においては、記憶領域生成部３８が、当該指示に従って一時的記憶領域を記憶部３６に生成し、当該一時的記憶領域にアクセスするためのアクセス情報を生成する。一時的記憶領域の生成を指示した画像処理装置１０の装置識別情報が、当該画像処理装置１０からサーバ１２に送信され、記憶領域生成部３８は、一時的記憶領域に当該装置識別情報を対応付けてもよい。アクセス情報はサーバ１２から画像処理装置１０に送信され、アクセス情報取得部２６は当該アクセス情報を取得する（Ｓ２２）。
【００９２】
画像処理装置１０において、出力制御部３２は、アクセス情報取得部２６によって取得された当該アクセス情報を出力する（Ｓ２３）。出力制御部３２は、例えば、当該アクセス情報を表すバーコードや２次元コードをＵＩ部１８の表示部に表示させてもよいし、通信部１６による近距離無線通信を利用して当該アクセス情報を送信してもよいし、アクセス情報を表す文字列（例えばＵＲＬを表す文字列）をＵＩ部１８の表示部に表示させてもよい。なお、出力制御部３２は、アクセス情報取得部２６がアクセス情報を取得した場合、当該アクセス情報の取得をユーザに促す情報をＵＩ部１８の表示部に表示させてもよいし、その促す情報を表す音を発生させてもよい。また、出力制御部３２は、一時的記憶領域がサーバ１２に生成されたことを示す情報や、アクセス情報が取得されたことを示す情報をＵＩ部１８の表示部に表示させてもよい。
【００９３】
出力制御部３２がアクセス情報を出力する期間は、例えば、アクセス情報取得部２６がアクセス情報を取得した時点から「スキャンｔｏサーバ機能」の実行が終了した時点（例えばユーザが「スキャンｔｏサーバ機能」の終了を指示した時点）までの期間であってもよいし、アクセス情報取得部２６がアクセス情報を取得した時点から端末装置１４がアクセス情報を取得した時点までの期間であってもよいし、アクセス情報取得部２６がアクセス情報を取得した時点から予め定められた時間が経過するまでの期間であってもよい。出力制御部３２は、アクセス情報取得部２６がアクセス情報を取得した時点から予め定められた時間が経過した時点以降にアクセス情報を出力してもよいし、ユーザがＵＩ部１８を用いて出力指示を与えた場合にアクセス情報を出力してもよい。出力制御部３２は、ユーザがＵＩ部１８を用いて出力終了指示を与えるまで、アクセス情報を出力してもよい。
【００９４】
ユーザが画像処理装置１０にログインしている場合、当該ユーザが画像処理装置１０からログアウトするまでの間、出力制御部３２は、アクセス情報を出力してもよい。ユーザは、認証情報（例えば、ユーザＩＤやパスワードや生体情報等）を画像処理装置１０に入力することで、画像処理装置１０にログインすることができる。
【００９５】
なお、「スキャンｔｏサーバ機能」は、ユーザが画像処理装置１０にログインしている場合に利用可能な機能であってもよい。つまり、ユーザが画像処理装置１０にログインしていない場合、「スキャンｔｏサーバ機能」の実行が禁止されてもよい。
【００９６】
また、ユーザが画像処理装置１０にログイン中であれば、画像処理装置１０の制御部２８は、当該ユーザの操作履歴を示す情報を、画像処理装置１０のＵＩ部１８の表示部に表示させてもよい。ユーザ毎に操作履歴が制御部２８によって記録され、各ユーザの操作履歴を示す情報は記憶部２２に記憶される。例えば、アクセス情報の取得が操作履歴として記録され、当該アクセス情報が、操作履歴を示す情報に含まれる情報としてＵＩ部１８の表示部に表示される。ユーザは、当該アクセス情報を読み取って一時的記憶領域にアクセスしてもよい。なお、ユーザが、操作履歴を示す情報に含まれるアクセス情報を削除した場合、生成処理部２４は、当該アクセス情報によってアクセス可能な一時的記憶領域を削除するための処理を実行してもよい。
【００９７】
画像処理装置１０において、ユーザがＵＩ部１８を操作してスキャンの実行を指示すると（Ｓ２４）、画像読取部２０はスキャンを実行することで１又は複数のスキャンデータを生成する（Ｓ２５）。
【００９８】
記憶制御部３０は、当該１又は複数のスキャンデータをサーバ１２に送信して一時的記憶領域に記憶させる（Ｓ２６）。より詳しく説明すると、記憶制御部３０は、当該１又は複数のスキャンデータをサーバ１２に送信すると共に、一時的記憶領域への当該１又は複数のスキャンデータの記憶をサーバ１２に指示する。サーバ１２の記憶制御部４６は、当該指示に従って当該１又は複数のスキャンデータを一時的記憶領域に記憶させる。記憶制御部４６は、スキャンデータをサーバ１２に送信した画像処理装置１０の装置識別情報が対応付けられている一時的記憶領域に、当該画像処理装置１０がサーバ１２に送信したスキャンデータを記憶させる。「スキャンｔｏサーバ機能」が実行されてから「スキャンｔｏサーバ機能」の実行が終了するまでにスキャンによって生成された１又は複数のスキャンデータは、同じ一時的記憶領域に記憶される。
【００９９】
スキャンデータが一時的記憶領域に記憶された場合、サーバ１２の記憶制御部４６は、スキャンデータの記憶が完了したことを示す情報を画像処理装置１０に送信する（Ｓ２７）。
【０１００】
画像処理装置１０の制御部２８は、スキャンデータの記憶が完了したことを示す情報をサーバ１２から受信すると、当該情報を画像処理装置１０のＵＩ部１８の表示部に表示させることで、一時的記憶領域へのスキャンデータの記憶が完了したことをユーザに通知する（Ｓ２８）。
【０１０１】
次に、端末装置１４を利用するユーザが、アクセス情報を取得するための操作を行うと（Ｓ２９）、端末装置１４は、画像処理装置１０からアクセス情報を取得する動作を実行し（Ｓ３０）、その実行によってアクセス情報を取得する（Ｓ３１）。アクセス情報を表すバーコードや２次元コードが、画像処理装置１０のＵＩ部１８の表示部に表示されている場合、ユーザが端末装置１４に設けられているカメラによってバーコードや２次元コードを撮影することで、端末装置１４は、アクセス情報を取得する。別の例として、端末装置１４は近距離無線通信を利用することで、画像処理装置１０から送信されているアクセス情報を受信してもよい。例えば、ユーザが端末装置１４を画像処理装置１０に近づけると、端末装置１４は近距離無線通信によってアクセス情報を画像処理装置１０から取得する。取得されたアクセス情報は、端末装置１４のＵＩ部５０の表示部に表示されてもよい（Ｓ３２）。なお、アクセス情報を表す文字列がＵＩ部１８の表示部に表示されている場合、ユーザが当該文字列を読み取って、当該文字列を端末装置１４に手入力してもよい。
【０１０２】
ユーザが端末装置１４のＵＩ部５０を操作して一時的記憶領域へのアクセスを指示すると（Ｓ３３）、端末装置１４は、上記のアクセス情報を用いて、サーバ１２に生成された一時的記憶領域にアクセスする（Ｓ３４）。端末装置１４の制御部５４は、当該一時的記憶領域に記憶されている１又は複数のスキャンデータの一覧をＵＩ部５０の表示部に表示させる。
【０１０３】
ユーザが端末装置１４のＵＩ部５０を操作して、当該一覧の中から取得対象の１又は複数のスキャンデータを選択すると（Ｓ３５）、端末装置１４は、当該１又は複数のスキャンデータの取得をサーバ１２に要求し（Ｓ３６）、当該１又は複数のスキャンデータをサーバ１２からダウンロードする（Ｓ３７）。
【０１０４】
端末装置１４は、一時的記憶領域が削除されるまでの間、一時的記憶領域に複数回アクセスしてもよい。また、端末装置１４は、一時的記憶領域が削除されるまでの間、１又は複数のスキャンデータを複数回ダウンロードしてもよい。なお、ユーザは別の端末装置１４を操作することで、当該別の端末装置１４がスキャンデータをダウンロードしてもよい。つまり、アクセス情報を利用することで、１又は複数の端末装置１４が一時的記憶領域にアクセスしてスキャンデータをダウンロードしてもよい。
【０１０５】
画像処理装置１０において、ユーザがＵＩ部１８を操作して、「スキャンｔｏサーバ機能」の実行終了を指示すると（Ｓ３８）、画像処理装置１０の制御部２８は、「スキャンｔｏサーバ機能」の実行を終了する。
【０１０６】
一時的記憶領域にスキャンデータを記憶させることで、永続的に利用可能な記憶領域にスキャンデータを記憶させる場合と比べて、スキャンデータが漏洩する危険が低下する。
【０１０７】
「スキャンｔｏサーバ機能」の実行が終了した場合、生成処理部２４は、一時的記憶領域の削除をサーバ１２に指示する。一時的記憶領域の削除指示を示す情報は、画像処理装置１０からサーバ１２に送信され、サーバ１２においては、記憶領域削除部４０が、当該削除指示に従って一時的記憶領域を削除する。生成処理部２４は、例えば、一時的記憶領域の削除指示を示す情報と共に、自装置である画像処理装置１０の装置識別情報をサーバ１２に送信する。記憶領域削除部４０は、当該装置識別情報が対応付けられている一時的記憶領域を削除する。
【０１０８】
「スキャンｔｏサーバ機能」の１回の実行あたり、１つの一時的記憶領域の利用が可能であってもよい。つまり、「スキャンｔｏサーバ機能」が実行されると、その実行に対応して、サーバ１２に１つの一時的記憶領域が生成され、その実行の指示が与えられた画像処理装置１０によるスキャンによって生成されたスキャンデータが、当該１つの一時的記憶領域に記憶される。その実行を指示したユーザは、端末装置１４を用いて、当該１つの一時的記憶領域からスキャンデータをダウンロードすることができる。「スキャンｔｏサーバ機能」の実行が終了した場合、当該１つの一時的記憶領域は削除されて利用ができなくなる。
【０１０９】
別の例として、生成処理部２４は、一時的記憶領域が生成された日時を示す情報を記憶し、その日時から予め定められた期間が経過した場合に、一時的記憶領域の削除をサーバ１２に指示してもよい。更に別の例として、生成処理部２４は、「スキャンｔｏサーバ機能」の実行が終了した時点から予め定められた期間が経過した場合に、一時的記憶領域の削除をサーバ１２に指示してもよい。生成処理部２４は、例えば、「スキャンｔｏサーバ機能」の実行終了を示す情報と共に、自装置である画像処理装置１０の装置識別情報をサーバ１２に送信する。記憶領域削除部４０は、当該装置識別情報が対応付けられている一時的記憶領域を削除する。
【０１１０】
更に別の例として、記憶領域削除部４０は、一時的記憶領域が生成された日時を示す情報を記憶し、その日時から予め定められた期間が経過した場合に、一時的記憶領域を削除してもよい。
【０１１１】
上記の予め定められた期間は、画像処理装置１０や端末装置１４を利用するユーザや、画像処理装置１０や情報処理システムを管理する管理者等によって、変更されてもよい。例えば、画像処理装置１０を利用するユーザがＵＩ部１８を操作して、上記の期間の長さを設定してもよい。
【０１１２】
更に別の例として、記憶領域削除部４０は、一時的記憶領域に記憶されているスキャンデータが端末装置１４によってダウンロードされた場合に、一時的記憶領域を削除してもよい。例えば、一時的記憶領域に記憶されている全スキャンデータが端末装置１４によってダウンロードされた場合に、記憶領域削除部４０は、一時的記憶領域を削除する。
【０１１３】
「スキャンｔｏサーバ機能」の実行が終了した場合に一時的記憶領域を削除するのか、予め定められた期間が経過した場合に一時的記憶領域を削除するのか、スキャンデータがダウンロードされた場合に一時的記憶領域を削除するのかは、画像処理装置１０や端末装置１４を利用するユーザや、管理者等によって選択されてもよい。
【０１１４】
更に別の例として、ユーザが画像処理装置１０にログインしてから画像処理装置１０からログアウトするまでに「スキャンｔｏサーバ機能」が実行されたことで、一時的記憶領域がサーバ１２に生成された場合において、当該ユーザが画像処理装置１０からログアウトした後、画像処理装置１０に再度ログインした場合、生成処理部２４は、当該一時的記憶領域を削除するための処理を実行してもよい。ユーザが画像処理装置１０に再度ログインした後、スキャンが実行された場合に、生成処理部２４は、一時的記憶領域を削除するための処理を実行してもよい。ユーザが画像処理装置１０に再度ログインした後、「スキャンｔｏサーバ機能」が実行された場合、新たな一時的記憶領域がサーバ１２に生成され、新たなアクセス情報がサーバ１２から画像処理装置１０に送信される。なお、出力制御部３２は、一時的記憶領域が削除される前に、削除の確認画面や、削除される一時的記憶領域のアクセス情報を、ＵＩ部１８の表示部に表示させてもよい。
【０１１５】
「スキャンｔｏサーバ機能」の実行が終了した後、「スキャンｔｏサーバ機能」が次に実行される前に、生成処理部２４は、「スキャンｔｏサーバ機能」が次に実行されたときに用いられる一時的記憶領域を生成するための処理を実行してもよい。これにより、「スキャンｔｏサーバ機能」が次に実行される前に、記憶領域生成部３８によって一時的記憶領域が予め生成される。生成処理部２４は、「スキャンｔｏサーバ機能」の利用状況に応じて、予め生成される一時的記憶領域の数を変更してもよい。例えば、「スキャンｔｏサーバ機能」の利用回数が多いほど、生成処理部２４は、予め生成される一時的記憶領域の数を増やしてもよい。
【０１１６】
（実施例２）
以下、図８を参照して、実施例２に係る処理について説明する。図８は、実施例２に係る処理の流れの一例を示すシーケンス図である。
【０１１７】
上記の実施例１においては、画像処理装置１０によるスキャンの実行、端末装置１４によるアクセス情報の取得、端末装置１４による一時的記憶領域へのアクセスの順番で、各処理が実行される。実施例２においては、端末装置１４によるアクセス情報の取得、端末装置１４による一時的記憶領域へのアクセス、画像処理装置１０によるスキャンの実行の順番で、各処理が実行される。以下、実施例２に係る処理について詳しく説明する。
【０１１８】
ステップＳ４０〜Ｓ４３の処理は、図７に示されているステップＳ２０〜Ｓ２３の処理と同じである。
【０１１９】
ステップＳ４４〜Ｓ４９の処理は、図７に示されているステップＳ２９〜Ｓ３４の処理と同じである。つまり、実施例２においては、スキャンが実行される前に、端末装置１４は、アクセス情報を画像処理装置１０から取得し、一時的記憶領域にアクセスする。
【０１２０】
ステップＳ５０〜Ｓ５４の処理は、図７に示されているステップＳ２４〜Ｓ２８の処理と同じである。つまり、実施例２においては、端末装置１４が一時的記憶領域にアクセスした後に、スキャンが実行されてスキャンデータが一時的記憶領域に記憶される。
【０１２１】
ステップＳ５５〜Ｓ５８の処理は、図７に示されているステップＳ３５〜Ｓ３８の処理と同じである。
【０１２２】
例えば、端末装置１４が一時的記憶領域にアクセスすると、当該一時的記憶領域に記憶されているスキャンデータの一覧が、端末装置１４のＵＩ部５０の表示部に表示される。スキャンが実行されてスキャンデータが一時的記憶領域に記憶される度に、当該一覧にスキャンデータが追加される。
【０１２３】
また、端末装置１４が一時的記憶領域にアクセスした場合、サーバ１２の記憶制御部４６は、当該端末装置１４の端末識別情報を当該一時的記憶領域に対応付けてもよい。そして、スキャンが実行されてスキャンデータが一時的記憶領域に記憶されると、記憶制御部４６は、当該一時的記憶領域に対応付けられている端末識別情報を有する端末装置１４のＵＩ部５０の表示部に、ダウンロードボタン等のように、ユーザがダウンロードを指示するための画像を表示させる。例えば、スキャンデータが一時的記憶領域に記憶されると、ポップアップ表示等によって当該画像が表示される。ユーザが当該画像を操作してダウンロードを指示すると、端末装置１４は、一時的記憶領域に記憶されているスキャンデータをダウンロードする。上記の一覧は、スキャンの実行中に表示されてもよい。
【０１２４】
（実施例３）
以下、図９を参照して、実施例３に係る処理について説明する。図９は、実施例３に係る処理の流れの一例を示すシーケンス図である。
【０１２５】
上記の実施例１においては、端末装置１４がスキャンデータをサーバ１２からダウンロードした後に、「スキャンｔｏサーバ機能」の実行が終了している。実施例３においては、「スキャンｔｏサーバ機能」の実行が終了した後に、端末装置１４がスキャンデータをサーバ１２からダウンロードする。以下、実施例３に係る処理について詳しく説明する。
【０１２６】
ステップＳ６０〜Ｓ７２の処理は、図７に示されているステップＳ２０〜Ｓ３２の処理と同じである。
【０１２７】
実施例３では、端末装置１４がアクセス情報を取得した後、ユーザが「スキャンｔｏサーバ機能」の実行終了を指示し（Ｓ７３）、画像処理装置１０の制御部２８は、「スキャンｔｏサーバ機能」の実行を終了する。
【０１２８】
実施例３では、「スキャンｔｏサーバ機能」の実行が終了しても、一時的記憶領域は削除されない。
【０１２９】
「スキャンｔｏサーバ機能」の実行が終了した後、ステップＳ７４〜Ｓ７８の処理が実行される。ステップＳ７４〜Ｓ７８の処理は、図７に示されているステップＳ３３〜Ｓ３７の処理と同じである。つまり、実施例３では、「スキャンｔｏサーバ機能」の実行が終了した後、端末装置１４はスキャンデータをサーバ１２からダウンロードする。
【０１３０】
一時的記憶領域は、例えば、当該一時的記憶領域が生成された日時から予め定められた期間が経過した場合に削除されてもよいし、「スキャンｔｏサーバ機能」の実行が終了した時点から予め定められた期間が経過した場合に削除されてもよいし、当該一時的記憶領域に記憶されているスキャンデータが端末装置１４によってダウンロードされた場合に削除されてもよいし、ユーザが画像処理装置１０にログインしている場合には、当該ユーザが画像処理装置１０からログアウトした場合に削除されてもよい。
【０１３１】
（実施例４）
以下、図１０を参照して、実施例４に係る処理について説明する。図１０は、実施例４に係る処理の流れの一例を示すシーケンス図である。
【０１３２】
実施例４においては、実施例２と同様に、端末装置１４によるアクセス情報の取得、端末装置１４による一時的記憶領域へのアクセス、画像処理装置１０によるスキャンの実行の順番で、各処理が実行される。
【０１３３】
また、実施例４においては、アクセス情報を用いて一時的記憶領域に最初にアクセスした端末装置１４以外の別の端末装置１４による当該一時的記憶領域へのアクセスが禁止される場合に、スキャンの実行が許可される。以下、一時的記憶領域に最初にアクセスした端末装置１４以外の別の端末装置１４による当該一時的記憶領域へのアクセスが禁止されることを「ロック」と称することとする。一時的記憶領域がロックされていない場合、スキャンの実行は許可されない。別の例として、一時的記憶領域がロックされていない場合、スキャンの実行は許可されるが、サーバ１２へのスキャンデータの送信が禁止されてもよい。以下、実施例４に係る処理について詳しく説明する。
【０１３４】
ステップＳ８０〜Ｓ８８の処理は、図８に示されているステップＳ４０〜Ｓ４８の処理と同じである。
【０１３５】
実施例４では、端末装置１４は、一時的記憶領域へのアクセス指示をユーザから受けると、アクセス情報を用いて、サーバ１２に生成された一時的記憶領域にアクセスし、更に、当該端末装置１４の端末識別情報をサーバ１２に送信する（Ｓ８９）。
【０１３６】
端末装置１４がアクセスした一時的記憶領域に、当該端末装置１４以外の別の端末装置１４の端末識別情報が対応付けられていない場合、当該端末装置１４は、当該一時的記憶領域に最初にアクセスした端末装置１４である。この場合、アクセス禁止部４２は、当該一時的記憶領域に当該端末装置１４の端末識別情報を対応付けて、当該一時的記憶領域をロックすることで、別の端末装置１４による当該一時的記憶領域へのアクセスを禁止する（Ｓ９０）。これにより、当該一時的記憶領域に対応付けられている端末識別情報を有する端末装置１４のみが、当該一時的記憶領域へのアクセスが許可され、当該端末識別情報を有していない別の端末装置１４は、当該一時的記憶領域へのアクセスが許可されない。
【０１３７】
一方、端末装置１４がアクセスした一時的記憶領域に、当該端末装置１４以外の別の端末装置１４の端末識別情報が対応付けられている場合、当該端末装置１４は、当該一時的記憶領域に最初にアクセスした端末装置１４ではない。この場合、アクセス禁止部４２は、当該端末装置１４による当該一時的記憶領域へのアクセスを禁止する。
【０１３８】
次に、画像処理装置１０において、ユーザがＵＩ部１８を用いてスキャンの実行を指示すると（Ｓ９１）、画像処理装置１０の記憶制御部３０は、一時的記憶領域がロックされているか否かを確認する（Ｓ９２）。例えば、記憶制御部３０は、一時的記憶領域がロックされているか否かを問い合わせる情報（つまり、一時的記憶領域に端末装置１４の端末識別情報が対応付けられているか否かを問い合わせる情報）をサーバ１２に送信する。アクセス禁止部４２は、その問い合わせに対する回答を画像処理装置１０に通知する（Ｓ９３）。一時的記憶領域がロックされている場合、つまり、当該一時的記憶領域に端末装置１４の端末識別情報が対応付けられている場合、アクセス禁止部４２は、当該一時的記憶領域がロックされていることを示す情報を画像処理装置１０に送信する。一時的記憶領域がロックされていない場合、つまり、当該一時的記憶領域に端末装置１４の端末識別情報が対応付けられていない場合、アクセス禁止部４２は、当該一時的記憶領域がロックされていないことを示す情報を画像処理装置１０に送信する。
【０１３９】
一時的記憶領域がロックされている場合、画像処理装置１０の制御部２８は、画像読取部２０によるスキャンを許可する。この場合、画像読取部２０はスキャンを実行し（Ｓ９４）、記憶制御部３０は、スキャンデータをサーバ１２に送信して一時的記憶領域に記憶させる（Ｓ９５）。ステップＳ９６，Ｓ９７の処理は、図７に示されているステップＳ２７，Ｓ２８の処理と同じである。
【０１４０】
一時的記憶領域がロックされていない場合、画像処理装置１０の制御部２８は、画像読取部２０によるスキャンを禁止する。この場合、制御部２８は、一時的記憶領域へのアクセスをユーザに促す情報を画像処理装置１０のＵＩ部１８の表示部に表示させてもよい。なお、一時的記憶領域がロックされていない場合、スキャンは許可され、サーバ１２へのスキャンデータの送信が禁止されてもよい。
【０１４１】
例えば、サーバ１２にて一時的記憶領域が生成されるときに、当該一時的記憶領域の生成を指示した画像処理装置１０の装置識別情報が画像処理装置１０からサーバ１２に送信され、生成された当該一時的記憶領域に対応付けられる。画像処理装置１０の記憶制御部３０は、自装置である画像処理装置１０の装置識別情報に対応付けられている一時的記憶領域がロックされているか否かを問い合わせる情報と、自装置である画像処理装置１０の装置識別情報とをサーバ１２に送信する。当該装置識別情報が対応付けられている一時的記憶領域に端末識別情報が対応付けられている場合、アクセス禁止部４２は、当該一時的記憶領域がロックされていると判断し、当該一時的記憶領域がロックされていることを示す情報を画像処理装置１０に送信する。一方、当該装置識別情報が対応付けられている一時的記憶領域に端末識別情報が対応付けられていない場合、アクセス禁止部４２は、当該一時的記憶領域がロックされていないと判断し、当該一時的記憶領域がロックされていないことを示す情報を画像処理装置１０に送信する。
【０１４２】
ステップＳ９８〜Ｓ１０１の処理は、図８に示されているステップＳ５５〜Ｓ５８の処理と同じである。
【０１４３】
一時的記憶領域に対応付けられている端末識別情報を有する端末装置１４が、当該一時的記憶領域へのアクセスを試みた場合、そのアクセスが許可され、当該端末装置１４は、当該一時的記憶領域に記憶されているスキャンデータをダウンロードすることができる。当該端末識別情報を有していない別の端末装置１４が、当該一時的記憶領域へのアクセスを試みた場合、そのアクセスは禁止され、当該別の端末装置１４は、当該一時的記憶領域に記憶されているスキャンデータをダウンロードすることができない。
【０１４４】
上記の画像処理装置１０、サーバ１２及び端末装置１４の各部の機能は、一例としてハードウェアとソフトウェアとの協働により実現される。具体的には、画像処理装置１０、サーバ１２及び端末装置１４は、図示しないＣＰＵ等の１又は複数のプロセッサを有している。当該１又は複数のプロセッサが、図示しない記憶装置に記憶されたプログラムを読み出して実行することで、画像処理装置１０、サーバ１２及び端末装置１４の各部の機能が実現される。上記プログラムは、ＣＤ又はＤＶＤ等の記録媒体を経由して、又は、ネットワーク等の通信経路を経由して、記憶装置に記憶される。別の例として、画像処理装置１０、サーバ１２及び端末装置１４の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、画像処理装置１０、サーバ１２及び端末装置１４の各部の機能は、ＤＳＰ（Digital Signal Processor）又はＦＰＧＡ（Field Programmable Gate Array）等によって実現されてもよい。
【符号の説明】
【０１４５】
１０  画像処理装置、１２  サーバ、１４  端末装置、２４  生成処理部、２６  アクセス情報取得部、３０，４６  記憶制御部、３２  出力制御部、３８  記憶領域生成部、４０  記憶領域削除部、４２  アクセス禁止部。
【図１】
2020184670.tif 000003
【図２】
2020184670.tif 000004
【図３】
2020184670.tif 000005
【図４】
2020184670.tif 000006
【図５】
2020184670.tif 000007
【図６】
2020184670.tif 000008
【図７】
2020184670.tif 000009
【図８】
2020184670.tif 000010
【図９】
2020184670.tif 000011
【図１０】
2020184670.tif 000012